(57)【要約】【課題】パネルユニットの取付作業性を向上でき、上弦材に雨水などが溜まることを防止でき、内観意匠も向上できるパネルユニットの取付構造を提供すること。【解決手段】パネルユニット２は、上弦材２０、下弦材３０を備える。上弦材２０、下弦材３０は、下面に開口する係止溝２００、３００を備える。支柱３には、上ブラケット６Ａ、下ブラケット６Ｂが取り付けられる。各ブラケット６は、支柱３に取り付けられる取付部６１と、上弦材２０、下弦材３０が載置される載置部６３と、載置部６３から上方に伸びる立上部６２と、係止溝２００、３００内に挿入される係止片６４とを備える。係止溝２００、３００の見込み方向の開口幅寸法は、係止片６４の見込み方向の厚さ寸法に比べて大きな寸法である。上弦材２０、下弦材３０は、ドリルネジ２５０で立上部６２に固定されている。【選択図】図２
2018091039.tif 000002
【特許請求の範囲】
【請求項１】
少なくとも上弦材および下弦材を有するパネルユニットを支柱に取り付けるパネルユニットの取付構造であって、
前記上弦材および前記下弦材には、下面に開口する係止溝が形成され、
前記支柱には、前記上弦材が取り付けられる上ブラケットと、前記下弦材が取り付けられる下ブラケットとが取り付けられ、
前記上ブラケットおよび前記下ブラケットは、前記支柱に取り付けられる取付部と、前記上弦材および前記下弦材が載置される載置部と、前記載置部から上方に伸びる立上部と、前記係止溝内に挿入される係止片とを備え、
前記係止溝の見込み方向の開口幅寸法は、前記係止片の見込み方向の厚さ寸法に比べて大きな寸法とされ、
前記上弦材および前記下弦材は、固定ネジによって前記立上部に固定されている
ことを特徴とするパネルユニットの取付構造。
【請求項２】
請求項１に記載のパネルユニットの取付構造において、
前記上ブラケットの前記載置部には穴が形成され、
前記上弦材の前記係止溝は、前記上弦材の長手方向に沿って連続して形成され、
前記係止溝内には、ネジ穴が形成された裏板が配置され、
前記裏板のネジ穴には、前記載置部の穴を介してボルトがねじ込まれている
ことを特徴とするパネルユニットの取付構造。
【請求項３】
請求項２に記載のパネルユニットの取付構造において、
前記上弦材の前記係止溝の開口幅寸法は、前記裏板の幅寸法よりも小さく、かつ、前記裏板の高さ寸法よりも大きな寸法であり、
前記係止溝は、前記裏板を前記係止溝の下面開口から挿入して係止溝内に配置可能に構成されている
ことを特徴とするパネルユニットの取付構造。
【請求項４】
請求項２または請求項３に記載のパネルユニットの取付構造において、
前記裏板は、前記係止溝内をスライド移動させて前記係止片に当接させると、前記上ブラケットの前記載置部の穴と、前記裏板のネジ穴とが同軸上に配置されるように構成されていることを特徴とするパネルユニットの取付構造。
【請求項５】
請求項１から請求項４のいずれか一項に記載のパネルユニットの取付構造において、
前記固定ネジはドリルネジであり、
前記上弦材および前記下弦材は、前記立上部に形成した穴を介して前記上弦材および前記下弦材にねじ込まれたドリルネジで前記立上部に固定されている
ことを特徴とするパネルユニットの取付構造。
【請求項６】
請求項１から請求項５のいずれか一項に記載のパネルユニットの取付構造において、
前記上ブラケットおよび前記下ブラケットは同一部品で構成され、
前記上弦材の内面部から前記係止溝までの見込み寸法は、前記下弦材の内面部から前記係止溝までの見込み寸法と同一である
ことを特徴とするパネルユニットの取付構造。
【発明の詳細な説明】
【技術分野】
【０００１】
本発明は、バルコニーやベランダ等の手摺り壁となるパネルユニットの取付構造に関する。
【背景技術】
【０００２】
建物のバルコニーの外周に沿って手摺り壁となるパネルユニットを設置する場合、バルコニーの床に立設した支柱に、固定具を介してパネルユニットの横桟を係止する取付構造が知られている（例えば特許文献１参照）。
パネルユニットの横桟（上弦材）の内面（バルコニーの内部側の面）には、前記固定具に係止される係止溝が形成されている。固定具には、被係止部が上斜め方向に突き出しており、被係止部を前記係止溝に差し込むことでパネルユニットを係止していた。
具体的には、まず、支柱の上部に固定具を配置しておく。固定具は、支柱の開口に差し込まれて見込み方向に移動可能に配置され、パネルユニットの非固定時には、傾斜面が支柱の外側に配置されて、固定具は斜め下方に傾いて配置される。
次に、パネルユニットの下部の横桟（下弦材）に設けた下係止部を、支柱の下部に固定した下受止金具に差し込む。
次に、パネルユニットの上弦材を支柱側に近づけて、上弦材の内面の係止溝を固定具に当接させる。この状態では、固定具は係止溝内に位置しているだけで上弦材を係止していないため、作業者はパネルユニットを支えている必要がある。
次に、パネルユニットの上弦材を支柱側に押し、上弦材の溝内部に当接している固定具を押し込むと、固定具の傾斜面が支柱の支持部で案内されて固定具が上方に移動し、固定具の被係止部が上弦材の係止溝に係止され、パネルユニットの取付が完了する。
【先行技術文献】
【特許文献】
【０００３】
【特許文献１】特開平１１−３３６３７７号公報
【発明の概要】
【発明が解決しようとする課題】
【０００４】
上記のようなパネルユニットの取付構造では、上斜め方向に爪状に突き出ている被係止部を、パネルユニットの横桟の内面の溝に差し込む必要があり、特に、複数の被係止部を同時に溝位置に合わせて差し込む必要があるため、取付作業が難しいという課題がある。
また、パネルユニットの下部は下受止金具に仮置きできるが、上部は支柱側に押し込むまで作業者が支えている必要があり、パネルユニットを支柱に固定するまで作業者はパネルユニットから両手を離すことができない。このため、パネルユニットを支柱にネジ止めする場合には、別の作業者が作業しなければならない。
さらに、上弦材の内面に係止溝があるため、雨水や埃が溝内に溜まりやすく、溝も小さいため清掃も難しい。さらに、上弦材の内面は支柱間に露出し、係止溝も露出するため、手摺り壁の内観意匠が低下するという課題もある。
【０００５】
本発明の目的は、パネルユニットの取付作業性を向上でき、上弦材に雨水などが溜まることを防止でき、内観意匠も向上できるパネルユニットの取付構造を提供することにある。
【課題を解決するための手段】
【０００６】
本発明は、少なくとも上弦材および下弦材を有するパネルユニットを支柱に取り付けるパネルユニットの取付構造であって、前記上弦材および前記下弦材には、下面に開口する係止溝が形成され、前記支柱には、前記上弦材が取り付けられる上ブラケットと、前記下弦材が取り付けられる下ブラケットとが取り付けられ、前記上ブラケットおよび前記下ブラケットは、前記支柱に取り付けられる取付部と、前記上弦材および前記下弦材が載置される載置部と、前記載置部から上方に伸びる立上部と、前記係止溝内に挿入される係止片とを備え、前記係止溝の見込み方向の開口幅寸法は、前記係止片の見込み方向の厚さ寸法に比べて大きな寸法とされ、前記上弦材および前記下弦材は、固定ネジによって前記立上部に固定されていることを特徴とする。
【０００７】
本発明によれば、パネルユニットの上弦材および下弦材の下面に係止溝を形成し、各ブラケットに載置部、立上部、係止片を設けたので、係止溝内に係止片を挿入した状態で、上弦材および下弦材を載置部上に載置することができる。このため、パネルユニットの重量を載置部で支持し、パネルユニットの倒れを係止片が防止しているので、パネルユニットを仮置きすることができる。パネルユニットの仮置き後は、作業者はパネルユニットを支持する必要が無く、ネジ止め作業などを行うことができ、一人の作業者でも、パネルユニットを支柱に取り付けることができるため、パネルユニットの取付作業性を向上できる。
係止溝の開口幅寸法を、係止片の厚さ寸法よりも大きな寸法に設定しているので、係止溝内に係止片を容易に挿入することができる。このため、パネルユニットの取付作業性を一層向上できる。
係止溝は、上弦材、下弦材の下面に形成されているので、係止溝に雨水が溜まることを防止でき、パネルユニットの内観に露出しないので、内観意匠も向上できる。
【０００８】
本発明のパネルユニットの取付構造において、前記上ブラケットの前記載置部には穴が形成され、前記上弦材の前記係止溝は、前記上弦材の長手方向に沿って連続して形成され、前記係止溝内には、ネジ穴が形成された裏板が配置され、前記裏板のネジ穴には、前記載置部の穴を介してボルトがねじ込まれていることが好ましい。
【０００９】
本発明によれば、上弦材の係止溝内に裏板を配置し、ブラケットの載置部から係止溝内に挿入したボルトを裏板にねじ込むことで、裏板を係止溝で案内しながらパネルユニットの左右位置を調整することができる。このため、パネルユニットは、見付け方向にがたつくことなく、安定して左右方向に移動して位置調整を行うことができる。
【００１０】
本発明のパネルユニットの取付構造において、前記上弦材の前記係止溝の開口幅寸法は、前記裏板の幅寸法よりも小さく、かつ、前記裏板の高さ寸法よりも大きな寸法であり、前記係止溝は、前記裏板を前記係止溝の下面開口から挿入して係止溝内に配置可能に構成されていることが好ましい。
【００１１】
本発明によれば、裏板を係止溝の下面開口から挿入できるため、パネルユニットを組み立てた後や、パネルユニットを仮置きした後でも裏板を配置できる。このため、裏板の組み込みタイミングの自由度が高く、組立作業性を向上できる。
【００１２】
本発明のパネルユニットの取付構造において、前記裏板は、前記係止溝内をスライド移動させて前記係止片に当接させると、前記上ブラケットの前記載置部の穴と、前記裏板のネジ穴とが同軸上に配置されるように構成されていることが好ましい。
【００１３】
本発明によれば、裏板を上ブラケットの係止片に当接させた際に、載置部の穴と裏板のネジ穴とが同軸上に揃うように設計しているので、上ブラケットに対して裏板を容易に位置決めすることができ、載置部の穴から裏板のネジ穴へのボルトのねじ込み作業も容易に行うことができる。
【００１４】
本発明のパネルユニットの取付構造において、前記固定ネジはドリルネジであり、前記上弦材および前記下弦材は、前記立上部に形成した穴を介して前記上弦材および前記下弦材にねじ込まれたドリルネジで前記立上部に固定されていることが好ましい。
【００１５】
本発明によれば、固定ネジをドリルネジで構成したので、パネルユニットをブラケットに固定する際に、ブラケットに対するパネルユニットの固定位置を自由に設定でき、パネルユニットの配置位置を容易に調整できる。
【００１６】
本発明のパネルユニットの取付構造において、前記上ブラケットおよび前記下ブラケットは同一部品で構成され、前記上弦材の内面部から前記係止溝までの見込み寸法は、前記下弦材の内面部から前記係止溝までの見込み寸法と同一であることが好ましい。
【００１７】
本発明によれば、上下のブラケットを同一部品で構成しているので、部品種類を少なくできる。また、同一部品であるため、上下のブラケットにおいて係止片の見込み方向の位置が同じ位置となるが、上弦材および下弦材の係止溝の内端位置も同じ位置に設定できるため、係止片を確実に係止溝内に挿入でき、作業性を向上できる。
【図面の簡単な説明】
【００１８】
【図１】本発明の実施形態を用いたバルコニーの手摺り壁を示す斜視図。
【図２】本実施形態の手摺り壁を示す断面図。
【図３】本実施形態のパネルユニットの上弦材、下弦材を示す断面図。
【図４】本実施形態の手摺り壁の施工手順を説明する斜視図。
【図５】本実施形態の手摺り壁の施工手順を説明する斜視図。
【図６】本実施形態の手摺り壁の施工手順を説明する斜視図。
【図７】本実施形態の手摺り壁の施工手順を説明する斜視図。
【図８】本実施形態の手摺り壁の施工手順を説明する断面図。
【図９】本実施形態の手摺り壁の施工手順を説明する断面図。
【図１０】本実施形態の手摺り壁の施工手順を説明する断面図。
【発明を実施するための形態】
【００１９】
以下、本発明の実施形態を図面に基づいて説明する。
本実施形態は、図１に示すように、バルコニーやベランダの手摺り壁１を構成するパネルユニット２の取付構造である。
手摺り壁１は、バルコニーやベランダの床となる躯体１００の外周縁から立ち上げられたパラペット１１０の上に設置されるものであり、パネルユニット２と、支柱３と、パラペット１１０の上面を覆う笠木４と、パネルユニット２の上面を覆う手摺り笠木５とを主な構成要素としている。
なお、以下の説明において、手摺り壁１を構成するパネルユニット２において、躯体１００側（バルコニーの床側）の面を内面、バルコニーの外側の面を外面という。また、隣接配置されるパネルユニット２の互いに対向する面を側面、パネルユニット２のパラペット１１０に対向する面を下面、手摺り笠木５に対向する面を上面とする。パネルユニット２の外面および内面に直交する方向を見込み方向とし、見込み方向において外面から内面に向かう方向を内側方向、内面から外面に向かう方向を外側方向とする。
【００２０】
［パネルユニット］
次に、パネルユニット２の構成について、図２も参照して説明する。パネルユニット２は、支持枠１０と、面材５０とを備える。面材５０は、合わせガラスで構成されているが、ポリカーボネート板などで構成してもよい。
【００２１】
支持枠１０は、面材５０の四辺を支持するものであり、図１にも示すように、上弦材２０と、下弦材３０と、左右の縦枠４０とを備えている。上弦材２０および下弦材３０は、縦枠４０間に配置されて縦枠４０にネジ止めされている。
【００２２】
［上弦材］
上弦材２０は、図３に示すような断面形状の押出形材で構成されている。上弦材２０は、上面部２１と、内面部２２と、外面部２３と、面材保持部２４と、下面部２５と、溝形成部２６と、裏板係止片２７、２８と、移動規制片２９とを備えている。
上面部２１は水平面とされ、内面部２２は上面部２１の内端から下方に延出され、外面部２３は上面部２１の外端から下方に延出されている。
面材保持部２４は、外面部２３の上端、下端間の中間部から内面部２２側に突設され、さらに外面部２３の下端部の高さ位置まで下方に延出されており、外面部２３とともに面材５０を保持する保持溝を形成する。下面部２５は、面材保持部２４の下端部から内面部２２側に延出されている。
【００２３】
溝形成部２６は、下面部２５の内端と、内面部２２の上下端間の中間部とを連結している。溝形成部２６の途中にはビスホール２６０が形成されている。
溝形成部２６は、下端部から移動規制片２９と同じ高さ位置までは垂直方向に延出された垂直部２６１と、移動規制片２９と同じ高さから移動規制片２９に向かって水平方向に延出された水平部２６２と、水平部２６２からビスホール２６０に向かって斜め上方に延出された傾斜部２６３と、ビスホール２６０と、ビスホール２６０から内面部２２に向かって水平方向に延出された延出部２６４とを備えて構成されている。
【００２４】
裏板係止片２７は、下面部２５および溝形成部２６の接続部分から内側方向に突出し、裏板係止片２８は、内面部２２の下端部から外側方向に突出している。
上弦材２０には、内面部２２、溝形成部２６、裏板係止片２７および裏板係止片２８で囲まれ、上弦材２０の下面において長手方向（押出方向）に連続する係止溝２００が形成されている。
【００２５】
係止溝２００には、図２に示すように、裏板２１０が挿入される。係止溝２００および裏板２１０の幅寸法（パネルユニット２の見込み方向の寸法）は以下のように設定されている。
係止溝２００の開口幅寸法（裏板係止片２７および裏板係止片２８間の寸法）は、後述するブラケット６の係止片６４の厚さ寸法（見込み方向の寸法）よりも大きな寸法とされている。また、裏板係止片２８の見込み寸法は、ブラケット６の立上部６２と係止片６４との間の見込み方向の寸法よりも小さい寸法とされている。
【００２６】
裏板２１０の幅寸法は、上弦材２０の下面に開口される係止溝２００の開口幅寸法（裏板係止片２７および裏板係止片２８間の寸法）よりも大きい寸法とされている。
垂直部２６１と内面部２２との間の幅寸法は、裏板２１０の幅寸法よりも大きい寸法とされ、水平部２６２と移動規制片２９との間の幅寸法は、裏板２１０の幅寸法よりも小さい寸法とされている。
移動規制片２９および水平部２６２は、裏板係止片２７、２８の上面から移動規制片２９、水平部２６２の下面までの高さ寸法が、裏板２１０の高さ寸法以上となる位置に形成されている。
【００２７】
係止溝２００は、傾斜部２６３、ビスホール２６０、延出部２６４、内面部２２で囲まれる空間を備えており、図８に示すように、係止溝２００の下面開口から挿入した裏板２１０を、前記空間まで差し込み、その後、垂直部２６１および内面部２２間に配置し、裏板係止片２７、２８の上面に載置できるように構成されている。
裏板２１０を係止溝２００の下面開口から挿入して配置できるため、裏板２１０を係止溝２００に配置する作業は、後述するパネルユニット２を支柱３のブラケット６上に仮置きする前でもよいし、仮置きした後でも可能である。なお、裏板２１０およびブラケット６については後述する。
また、垂直部２６１および内面部２２間に配置された裏板２１０は、後述するボルト２２０をねじ込む際に上方に押されても、移動規制片２９および水平部２６２で上方への移動が規制され、ボルト２２０を容易にねじ込むことができる。
【００２８】
［下弦材］
下弦材３０は、上弦材２０と同様に、図３に示すような断面形状の押出形材で構成されている。下弦材３０は、上面部３１と、内面部３２と、外面部３３と、面材保持部３４と、下面部３５と、溝形成部３６と、規制片３８とを備えている。
上面部３１は水平面とされ、内面部３２は上面部３１の内端から下方に延出されている。外面部３３は、上面部３１から離間した位置に設けられ、上面部３１に面材保持部３４を介して連結されている。
面材保持部３４は、外面部３３から内面部３２側に突設され、さらに外面部３３の上端部および上面部３１の高さ位置まで上方に延出されており、外面部３３とともに面材５０を保持する保持溝を形成する。下面部３５は、外面部３３の下端部から内面部２２側に延出されている。
【００２９】
溝形成部３６は、下面部３５の内端と、内面部３２の上下端間の中間部との間を連結している。溝形成部３６の途中にはビスホール３６０が形成されている。
溝形成部３６は、下面部３５の下端部から垂直方向に延出された垂直部３６１と、垂直部３６１からビスホール３６０に向かって斜め上方に延出された傾斜部３６３と、ビスホール３６０と、ビスホール３６０から内面部３２に向かって水平方向に延出された延出部３６４とを備えて構成されている。
【００３０】
規制片３８は、内面部２２の下端部から外側方向に突出している。
下弦材３０には、内面部３２、溝形成部３６、規制片３８で囲まれ、下弦材３０の長手方向（押出方向）に連続する係止溝３００が形成されている。
【００３１】
下弦材３０の下面に開口される係止溝３００の開口幅寸法（下面部３５および規制片３８間の寸法）は、係止片６４の厚さ寸法（見込み方向の寸法）よりも大きな寸法とされている。また、規制片３８の見込み寸法は、ブラケット６の立上部６２と係止片６４との間の見込み方向の寸法よりも小さい寸法とされている。
【００３２】
［縦枠］
支持枠１０の縦枠４０は、図２に示すように、縦枠本体部４１の外側に面材保持部４２が一体に形成された押出形材で構成されている。縦枠本体部４１は、中空角筒状に形成されている。面材保持部４２は、断面Ｌ字状に折曲されて縦枠本体部４１に連続している。このため、縦枠本体部４１と面材保持部４２との間には、面材５０を保持する保持溝が形成されている。
縦枠４０の上下両端にはキャップ４５が取り付けられている。また、縦枠４０は、縦枠本体部４１の側面からキャップ４５を介して、ビスホール２６０、３６０にねじ込まれるネジによって上弦材２０、下弦材３０に連結され、支持枠１０が組み立てられている。
【００３３】
［面材］
面材５０は、上弦材２０、下弦材３０、縦枠４０の各保持溝に取り付けられている。各保持溝の底面には、図３に示すように、樹脂製のセッティングブロック５１が接着されており、面材５０の端面が支持枠１０に当接しないように構成されている。保持溝には接着剤が充填され、面材５０を支持枠１０内に固定している。
【００３４】
［手摺り壁の施工］
以下、図４〜１０を参照して、手摺り壁１の組立・施工手順を説明する。また、これらの説明において、パネルユニット２の取付構造も説明する。
【００３５】
［支柱補強材・笠木ホルダーの取付］
図示は省略するが、手摺り壁１を設置するバルコニーの躯体１００のパラペット１１０の上面に躯体芯を墨出しし、支柱および笠木ホルダーの芯位置をけがく。また、芯位置を基準にして、パラペット１１０上面の所定の位置に下穴をあけておく。
次に、図４に示すように、パラペット１１０に形成した下穴にシーリング材を充填し、コーチネジ１４０をねじ込むことで、支柱補強材１２０と、笠木ホルダー１３０を固定する。なお、支柱補強材１２０のベースプレート１２１上に支柱補強材１２０を囲むシール受け１２２を配置し（図２参照）、シーリング材１２３を充填しておく。これにより、支柱補強材１２０と笠木４との隙間からパラペット１１０側に雨水が浸入しないようにシールしている。
【００３６】
［笠木の取付］
次に、図５に示すように、パラペット１１０の上面に固定した笠木ホルダー１３０に、笠木４をはめ込んで固定する。また、笠木４のジョイント部には、図示略のジョイント連結板を、一方の笠木４の下面に取り付けておき、他方の笠木４をジョイント連結板に取り付ける。また、笠木４のジョイント部の表面にはジョイントカバー１５を両面テープなどを用いて貼り付ける。なお、図示は省略するが、笠木４を取り付ける前に、パラペット１１０等には、必要に応じて、スリーブや排水部材を取り付けておく。
【００３７】
［支柱の取付］
次に、図６、７に示すように、角筒状の支柱３を支柱補強材１２０に差し込んで取り付ける。支柱３の中空部にはビスホールが形成されており、このビスホールを利用して支柱３の上端に支柱連結板１２５をネジ１２６で固定する。なお、支柱３に支柱連結板１２５を予め取り付けてから、支柱３を支柱補強材１２０に差し込んで取り付けてもよい。また、図７に示すように、支柱連結板１２５には、手摺り笠木５を固定するために用いられる穴１２７が形成されている。
【００３８】
［ブラケットの取付］
次に、図７に示すように、支柱３にブラケット６を取り付ける。
ブラケット６は、所定形状に打ち抜き加工された板材を折り曲げ加工することで製造され、取付部６１と、立上部６２と、載置部６３と、係止片６４とを備えている。なお、ブラケット６の各折曲部分には、補強用のリブを適宜形成してもよい。
【００３９】
取付部６１は、支柱３の側面３Ｂに固定される板状の部分であり、固定用のネジ６５が挿入される長穴６１１が形成されている。長穴６１１を介してネジ６５を支柱３にねじ込むことで、ブラケット６の出入り方向（バルコニーの内外方向）の位置を調整できる。取付部６１には、図８に示すように、位置決め用の刻印６１２が付けられ、刻印６１２を支柱３の外面３Ａの位置に合わせてブラケット６を位置決めする。
【００４０】
立上部６２は、取付部６１の外側端から側方（支柱３から離れる方向）に折曲して設けられている。立上部６２には穴６２１が形成され、この穴６２１には、後述するように、パネルユニット２を固定するためのドリルネジが挿入される。
載置部６３は、立上部６２の下端から外側に向かって折曲して設けられている。したがって、載置部６３は水平片として形成され、立上部６２は載置部６３から上方に伸びて形成されている。この載置部６３は、立上部６２に連続する水平面部６３１と、水平面部６３１から支柱３側に延長され、さらに内側（取付部６１側）に延出されて平面略Ｌ字状に設けられた延長部６３２とを備えている。水平面部６３１には、穴６３３が形成され、この穴６３３には、後述するように、パネルユニット２を仮固定するためのボルト（ネジ）が挿入される。
【００４１】
係止片６４は、延長部６３２の内側端から上方に折曲して設けられている。したがって、係止片６４は垂直片として形成されている。
このような構造のブラケット６は、支柱３の上部および下部の各側面３Ｂにそれぞれネジ６５で固定されている。したがって、支柱３の上部に取り付けられるブラケット６によって上ブラケット６Ａが構成され、下部に取り付けられるブラケット６により下ブラケット６Ｂが構成される。また、支柱３の左右の各側面３Ｂに取り付けられる上ブラケット６Ａ同士と、下ブラケット６Ｂ同士とは、左右対称の構成とされている。したがって、ブラケット６としては、支柱３の右側面用のブラケットと、左側面用のブラケットとの２種類が用意され、上下の各ブラケット６Ａ，６Ｂは同一部品で構成されている。
【００４２】
上弦材２０の係止溝２００内に配置される裏板２１０は、図７にも示すように、直方体状の金属部材で構成され、平面中心位置にネジ穴２１１が形成されている。そして、係止溝２００内で裏板２１０をスライド移動して上ブラケット６Ａの係止片６４に当接した際に、載置部６３の穴６３３と、ネジ穴２１１とが同軸上に配置、つまり平面視で重なる位置に配置されるように設定されている。
したがって、係止片６４の側面、つまり裏板２１０が当接する面から穴６３３の中心軸までの長さ寸法Ｌ１と、裏板２１０において係止片６４に当接する側面からネジ穴２１１の中心軸までの長さ寸法Ｌ２とは一致する。
なお、裏板２１０のネジ穴２１１は平面中心位置に形成されているので、図７において、係止片６４に当接する裏板２１０の面とは反対側の面からネジ穴２１１までの長さ寸法もＬ２であり、裏板２１０を係止溝２００内に挿入する際にどちらの向きでも挿入が可能である。
【００４３】
［パネルユニットの取付］
次に、パネルユニット２をブラケット６に仮置きする。すなわち、図８に示すように、パネルユニット２を支柱３の外側に配置する。この際、上弦材２０、下弦材３０の各係止溝２００、３００が、ブラケット６の係止片６４の上方に位置するようにパネルユニット２を配置する。例えば、上弦材２０および下弦材３０の内面部２２、３２が立上部６２に近接する位置または当接する位置までパネルユニット２を移動すると、係止片６４の上方に各係止溝２００、３００が配置される。
その位置からパネルユニット２を下方に移動すると、係止片６４は、各係止溝２００、３００内に挿入され、上弦材２０、下弦材３０は各ブラケット６の載置部６３上に載置される。
【００４４】
この際、係止溝２００、３００は、上弦材２０、下弦材３０の長手方向、つまりパネルユニット２の左右方向に連続して形成されているため、パネルユニット２の配置位置が左右方向にずれていても係止片６４を係止溝２００、３００内に配置できる。
また、係止片６４の厚さ寸法（見込み方向の寸法）に比べて、係止溝２００、３００の幅寸法（見込み方向の寸法）が大きいため、係止片６４を係止溝２００、３００内に容易に配置できる。
さらに、パネルユニット２の仮置きと前後して、裏板２１０を係止溝２００内に挿入しておく。裏板２１０は、パネルユニット２をブラケット６に仮置きする前に係止溝２００に組み込むこともできるし、仮置きした後に組み込むこともできる。
【００４５】
係止溝２００内に配置した裏板２１０を係止片６４に当接させ、裏板２１０のネジ穴２１１と載置部６３の穴６３３とを同軸上に位置させる。
次に、図９に示すように、上ブラケット６Ａの載置部６３の下面から、ボルト２２０を穴６３３に差し込み、さらに裏板２１０のネジ穴２１１にねじ込んで軽く締める。手摺り壁１を構成するすべてのパネルユニット２を、同様な手順でブラケット６上に仮置きする。
【００４６】
次に、各パネルユニット２の左右位置を調整する。図９に示すように、裏板２１０とボルト２２０とが軽く締められているため、ブラケット６に対してパネルユニット２を左右方向に容易に移動できる。パネルユニット２の左右位置の調整が終わったら、ボルト２２０を本締めする。
【００４７】
次に、図９、１０に示すように、ブラケット６の立上部６２の内側から、穴６２１を介して、上弦材２０、下弦材３０にドリルネジ２５０をねじ込む。ドリルネジ２５０は内面部２２、３２にねじ込まれ、さらに内面部２２、３２が立上部６２に当接する位置まで上弦材２０、下弦材３０を内側に引き寄せる。
この際、上弦材２０は、ボルト２２０が本締めされており、また、上弦材２０がブラケット６に対して外側に移動できるクリアランスが殆ど無いため、ドリルネジ２５０の先端が当接しても外側に殆ど移動せず、ドリルネジ２５０のタップが利き始めると、上弦材２０はブラケット６の立上部６２に引き寄せられて固定される。
一方、下弦材３０は、裏板２１０やボルト２２０が設けられていないので、ドリルネジ２５０の先端が当接すると外側に押し出されるが、規制片３８が係止片６４に当接する位置で停止する。このため、ドリルネジ２５０のタップが利き始め、上弦材２０と同様に、下弦材３０も立上部６２に引き寄せられて固定される。したがって、ドリルネジ２５０によって、上弦材２０、下弦材３０を立上部６２に固定する固定ネジが構成されている。
以上により、パネルユニット２は支柱３に固定される。
【００４８】
次に、図２に示すように、手摺り笠木５を支柱３の上端の支柱連結板１２５上に設置し、支柱連結板１２５の穴１２７に挿通されるボルト１２８によって固定する。また、手摺り笠木５の端部にカバー材を取り付ける。
以上の手順で手摺り壁１がパラペット１１０上に設置される。
【００４９】
［実施形態の効果］
本実施形態によれば、以下のような効果がある。
支柱３に取り付けたブラケット６に、立上部６２、載置部６３、係止片６４を設け、パネルユニット２の上弦材２０および下弦材３０の下面に、係止溝２００、３００を形成したので、係止溝２００、３００内に係止片６４を挿入した状態で、上弦材２０および下弦材３０を載置部６３上に載置することができる。
すなわち、パネルユニット２の重量はブラケット６の載置部６３で支持し、係止片６４がパネルユニット２の倒れを防止しているので、パネルユニット２を仮置きすることができる。そして、パネルユニット２を仮置きした後は、作業者はパネルユニット２を支持している必要が無いため、ネジ止め作業などを行うことができる。したがって、一人の作業者でも、パネルユニット２を支柱３に取り付けて手摺り壁１を組立・施工することができ、パネルユニット２の取付作業性を向上できる。
【００５０】
係止溝２００、３００の幅寸法を、係止片６４の厚さ寸法よりも大きな寸法に設定しているので、係止溝２００、３００内に係止片６４を容易に挿入することができる。このため、パネルユニット２の取付作業性を一層向上でき、係止片６４が上弦材２０および下弦材３０にぶつかって傷つけることも容易に防止できる。
【００５１】
係止溝２００、３００は、上弦材２０、下弦材３０の下面に形成されているので、内面部２２、３２に形成される場合に比べて、雨水や埃が浸入し難くでき、仮に風の影響などによって雨水などが係止溝２００、３００に浸入しても、重力によって雨水等を容易に排出することができる。したがって、係止溝２００、３００は、水切りが良く、水溜まりも発生しないので、清掃も不要にでき、手摺り壁１に布団などを干した場合も、係止溝２００、３００内に溜まった水で布団が濡れることを防止できる。
さらい、係止溝２００、３００がパネルユニット２の内観に露出しないので、手摺り壁１の内観意匠も向上できる。
【００５２】
係止溝２００、３００は、上弦材２０、下弦材３０の長手方向に連続しているため、係止片６４を係止溝２００、３００内に配置した仮置き状態で、パネルユニット２の左右位置を調整することができる。さらに、上弦材２０、下弦材３０はドリルネジ２５０でブラケット６に固定されるため、調整した左右位置でパネルユニット２を取り付けることができる。また、ブラケット６は、長穴６１１により支柱３に対して内外方向に位置調整できる。このため、パネルユニット２の左右方向および内外方向の位置調整を容易に行うことができる。
さらに、上弦材２０の係止溝２００内に裏板２１０を配置し、ブラケット６の載置部６３から係止溝２００内に挿入したボルト２２０を裏板２１０に軽くねじ込むことで、裏板２１０を係止溝２００で案内しながらパネルユニット２の左右位置を調整することができる。このため、パネルユニット２は、見付け方向にがたつくことなく、安定して左右方向に移動して位置調整を行うことができる。
【００５３】
裏板２１０をブラケット６の係止片６４に当接させた際に、穴６３３とネジ穴２１１とが同軸上に揃うように設計しているので、ブラケット６に対して裏板２１０を容易に位置決めすることができ、ボルト２２０のねじ込み作業も容易に行うことができる。
【００５４】
上弦材２０にドリルネジ２５０をねじ込んだ際に、裏板２１０およびボルト２２０を本締めしており、クリアランスも殆ど無いため、上弦材２０の外側への移動を規制できる。このため、タップを効かせてドリルネジ２５０をねじ込むことができる。
下弦材３０にドリルネジ２５０をねじ込んだ際も、下弦材３０は、係止片６４に規制片３８が当接する位置で外側に移動できなくなり、タップを効かせてドリルネジ２５０をねじ込むことができる。
このため、ドリルネジ２５０のねじ込み作業を行う場合に、作業者が上弦材２０や下弦材３０を押さえる必要が無く、バルコニーの内側からのねじ込み作業だけで固定できる。したがって、バルコニーの外側に足場を組んで施工する必要もなく、施工作業を容易にかつ安全に行うことができる。
【００５５】
下弦材３０には裏板やボルトを配置しないので、笠木４との隙間を最小限にできる。このため、下弦材３０と笠木４との隙間から物が落ちることなども防止できる。
また、下弦材３０が笠木４に密着していないので、表面張力で下弦材３０と笠木４との間に水が残ることもなく、水切れを良くすることができる。
【００５６】
［変形例］
本発明は、以上の実施形態で説明した構成のものに限定されず、本発明の目的を達成できる範囲での変形例は、本発明に含まれる。
ブラケット６の具体的な構成としては前記実施形態のものに限定されない。例えば、係止片６４は、延長部６３２の内側端を上方に折曲していたが、例えば、載置部６３の側端部を上方に折曲してもよいし、載置部６３からネジを突出させて形成してもよい。すなわち、係止片６４は、係止溝２００、３００内に挿入可能な形状およびサイズであればよい。
ブラケット６自体の構成も前記実施形態に限定されず、例えば、支柱３の右側面、左側面で兼用できる構成としてもよい。
【００５７】
上弦材２０、下弦材３０の係止溝２００、３００の形状も前記実施形態に限定されない。例えば、係止溝２００の断面形状を、裏板２１０と略同じ形状とし、上弦材２０の長手方向の端部開口から係止溝２００に裏板２１０を挿入してから、上弦材２０を縦枠４０にネジ止めするように構成してもよい。
【００５８】
前記実施形態では、ドリルネジ２５０を用いてブラケット６に上弦材２０、下弦材３０を固定していたが、上弦材２０、下弦材３０にネジ穴を加工し、通常のボルトを用いてブラケット６に固定してもよい。
また、裏板２１０は必ずしも設けなくてもよい。例えば、上弦材２０、下弦材３０にネジ穴が加工されている場合のように、ドリルネジ２５０で穴加工を行う必要が無い場合には、裏板２１０を設けずに施工できる。
【００５９】
また、パネルユニット２としては、前記実施形態のものに限定されない。例えば、面材５０の上端部に上弦材２０を接着剤で固定し、下端部に下弦材３０を接着剤で固定し、縦枠を設けない二辺支持枠を用いたパネルユニットでもよい。
また、パネルユニットとしては、支持枠と横格子パネルとで構成されたものなど、少なくとも上弦材、下弦材を備えた様々なパネルユニットを利用できる。
さらに、前記実施形態で説明した施工手順は一例であり、他の施工手順を採用してもよい。
また、パネルユニットは、バルコニーやベランダの手摺り壁として用いられるものに限定されず、渡り廊下の手摺りなどでもよく、本発明のパネルユニットの取付構造は、パネルユニットを支柱に取り付ける際に広く利用できる。
【符号の説明】
【００６０】
１…手摺り壁、２…パネルユニット、３…支柱、３Ａ…外面、３Ｂ…側面、６…ブラケット、６Ａ…上ブラケット、６Ｂ…下ブラケット、１０…支持枠、２０…上弦材、２１…上面部、２２…内面部、２３…外面部、２４…面材保持部、２５…下面部、２６…溝形成部、２７…裏板係止片、２８…裏板係止片、２９…移動規制片、３０…下弦材、３１…上面部、３２…内面部、３３…外面部、３４…面材保持部、３５…下面部、３６…溝形成部、３８…規制片、４０…縦枠、５０…面材、６１…取付部、６２…立上部、６３…載置部、６４…係止片、２００…係止溝、２１０…裏板、２１１…ネジ穴、２２０…ボルト、２５０…ドリルネジ、３００…係止溝、６２１、６３３…穴。
【図１】
2018091039.tif 000003
【図２】
2018091039.tif 000004
【図３】
2018091039.tif 000005
【図４】
2018091039.tif 000006
【図５】
2018091039.tif 000007
【図６】
2018091039.tif 000008
【図７】
2018091039.tif 000009
【図８】
2018091039.tif 000010
【図９】
2018091039.tif 000011
【図１０】
2018091039.tif 000012